(57)【要約】【課題】端子カバーを簡単に取付けることが可能な構成を採りながら、治具を使用しなければ取外すことができない端子カバーの着脱構造を提供する。【解決手段】機器のケース４の外面に露出しかつ複数の端子が設けられた端子台５の全体を覆う端子カバー１の着脱構造である。ケース４の上面４ｂと下面４ｃ（側面）には、それぞれ係合孔と係合溝８とが形成される。端子カバー１は、端子６と対向する基板１３と一対の側板１４とを備える。一対の側板１４は、係合孔に係合する係合突起と、係合溝８に係入する突片２２と、ロック解除部２３とを備える。ロック解除部２３は、突片２２の係合溝８への係入状態を解除するための治具を受け入れて係入を解除するように操作される。【選択図】  図６
2020191396.tif 000002
【特許請求の範囲】
【請求項１】
機器のケースの外面に露出しかつ複数の端子が並設された端子台の全体を覆う端子カバーの着脱構造であって、
前記ケースの前記外面とは異なる互いに対向する２つの側面には、それぞれ係合孔と係合溝とが形成され、
前記端子カバーは、
前記複数の端子と対向する基板と、
前記ケースの前記２つの側面に被せることが可能なように前記基板の両端から前記基板に対して垂直に延伸する一対の側板とを備え、
前記一対の側板は、
前記係合孔に係合する係合突起と、
前記係合溝に係入する突片と、
前記突片の前記係合溝への係入状態を解除するための治具を受け入れて前記係入を解除するように操作されるロック解除部とを備えていることを特徴とする端子カバーの着脱構造。
【請求項２】
請求項１記載の端子カバーの着脱構造において、
前記ロック解除部は、
前記治具が挿入される治具挿入孔と、
前記治具挿入孔に挿入された治具の先端に押圧されて撓むことで前記突片の前記係合溝への係入を解除する板ばね部とによって構成されていることを特徴とする端子カバーの着脱構造。
【請求項３】
請求項１または請求項２記載の端子カバーの着脱構造において、
前記係合孔は、前記２つの側面の各々の複数の位置に対をなすようにそれぞれ設けられ、
前記係合溝は、前記対をなす複数の係合孔どうしの中間位置に設けられていることを特徴とする端子カバーの着脱構造。
【請求項４】
請求項１〜請求項３のいずれか一つに記載の端子カバーの着脱構造において、
前記係合突起は、前記基板から離間する方向に延びて前記係合孔のケース内側の開口縁に係合する係合爪を有し、
前記ロック解除部は、前記基板側から前記治具を受け入れる構造であることを特徴とする端子カバーの着脱構造。
【発明の詳細な説明】
【技術分野】
【０００１】
本発明は、端子カバーを端子台に着脱可能に取付ける端子カバーの着脱構造に関する。
【背景技術】
【０００２】
端子が外面に露出する端子台においては、例えば特許文献１に記載されているように、端子に作業者の指が触れることを防ぐために端子台に端子カバーが取付けられている。特許文献１に開示された端子カバーは、係合爪を端子台に係合させることにより端子台に取付けられている。
【先行技術文献】
【特許文献】
【０００３】
【特許文献１】特開２００２−３２９９８０号公報
【発明の概要】
【発明が解決しようとする課題】
【０００４】
特許文献１に開示されているように、作業者が手で端子カバーを外すことが可能であると、端子に接続されたケーブルによって端子カバーが強く押されたり、端子カバーに作業者が不必要に接触したときに不必要に端子カバーが外れてしまうおそれがある。このような不具合は、端子カバーを端子台にねじ止めすることによって解消することができる。しかし、この構成を採ると、端子カバーを簡単に取付けることができなくなってしまう。
【０００５】
本発明の目的は、端子カバーを簡単に取付けることが可能な構成を採りながら、治具を使用しなければ取外すことができない端子カバーの着脱構造を提供することを目的とする。  
【課題を解決するための手段】
【０００６】
この目的を達成するために、本発明に係る端子カバーの着脱構造は、機器のケースの外面に露出しかつ複数の端子が並設された端子台の全体を覆う端子カバーの着脱構造であって、前記ケースの前記外面とは異なる互いに対向する２つの側面には、それぞれ係合孔と係合溝とが形成され、前記端子カバーは、前記複数の端子と対向する基板と、前記ケースの前記２つの側面に被せることが可能なように前記基板の両端から前記基板に対して垂直に延伸する一対の側板とを備え、前記一対の側板は、前記係合孔に係合する係合突起と、前記係合溝に係入する突片と、前記突片の前記係合溝への係入状態を解除するための治具を受け入れて前記係入を解除するように操作されるロック解除部とを備えているものである。
【０００７】
本発明は、前記端子カバーの着脱構造において、前記ロック解除部は、前記治具が挿入される治具挿入孔と、前記治具挿入孔に挿入された治具の先端に押圧されて撓むことで前記突片の前記係合溝への係入を解除する板ばね部とによって構成されていてもよい。
【０００８】
本発明は、前記端子カバーの着脱構造において、前記係合孔は、前記２つの側面の各々の複数の位置に対をなすようにそれぞれ設けられ、前記係合溝は、前記対をなす複数の係合孔どうしの中間位置に設けられていてもよい。
【０００９】
本発明は、前記端子カバーの着脱構造において、前記係合突起は、前記基板から離間する方向に延びて前記係合孔のケース内側の開口縁に係合する係合爪を有し、前記ロック解除部は、前記基板側から前記治具を受け入れる構造であってもよい。
【発明の効果】
【００１０】
本発明によれば、端子カバーの係合突起がケースの係合孔に係合し、端子カバーの突片がケースの係合溝に係入することにより端子カバーがケースに取付けられる。このため、端子カバーを簡単にケースに取付けることができる。端子カバーをケースから取外すためには、ロック解除部に治具を挿入して突片の係合溝への係入状態を解除して行う。したがって、端子カバーを簡単に取付けることが可能な構成を採りながら、治具を使用しなければ取外すことができない端子カバーの着脱構造を提供することができる。
【図面の簡単な説明】
【００１１】
【図１】本発明に係る端子カバーの着脱構造によって端子カバーが取付けられた機器の斜視図である。
【図２】機器から端子カバーを取外した状態を示す分解斜視図である。
【図３】端子カバーの斜視図である。
【図４】端子カバーが取付けられた機器の平面図である。
【図５】図４におけるV−V線断面図である。
【図６】図４におけるVI−VI線断面図である。
【図７】係合孔と係合突起との係合部分を拡大して示す断面図である。
【図８】係合溝と突片との係合部分を拡大して示す断面図である。
【図９】要部を拡大して示す断面図である。
【図１０】要部を拡大して示す断面図である。
【発明を実施するための形態】
【００１２】
以下、本発明に係る端子カバーの着脱構造の一実施の形態を図１〜図１０を参照して詳細に説明する。
図１に示す端子カバー１は、本発明に係る着脱構造２によって機器３のケース４に着脱可能に取り付けられている。機器３は、例えばパネル計器等の電子機器である。ケース４は、箱状に形成されている。以下において端子カバー１およびケース４の各部を説明するうえで方向を示すにあたっては、便宜上、図１において左上側を機器３の前側とし、図１において右下側を機器３の後側とし、図１において上側を機器３の上側とし、図１において下側を機器３の下側として行う。また、機器３を前方から見て右側を機器３の右側（図１においては左下側）とし、左側を機器３の左側（図１においては右上側）として以下の説明を行う。
【００１３】
ケース４の後端部には、図２に示すように、端子台５が一体的に設けられている。端子台５は、ケース４の外面４ａ（後面）に露出している。端子台５には、複数の端子６が並設されている。端子カバー１は、詳細は後述するが、端子台５の全体を覆うように形成されている。ケース４の上面４ｂと下面４ｃ（図５および図６参照）、すなわちケース４の外面４ａとは異なる互いに対向する２つの側面には、それぞれ係合孔７と係合溝８とが形成されている。
【００１４】
係合孔７は、上面４ｂと下面４ｃの各々の複数の位置（左右方向の両側の位置）に対をなすようにそれぞれ設けられている。係合孔７は、図５に示すように、ケース４の上面４ｂを有する上壁１１と、ケース４の下面４ｃを有する下壁１２とに、これらを貫通するように形成されている。上壁１１の係合孔７と、下壁１２の係合孔７とは、ケース４の前後方向および左右方向において同一位置に形成されている。なお、図示してはいないが、ケース４の上壁１１と下壁１２とには、それぞれ複数の通気口が形成されている。係合孔７は、これらの通気口を利用して構成することができる。
【００１５】
係合溝８は、対をなす２つの係合孔７どうしの中間位置に設けられている。この実施の形態においては、上壁１１と下壁１２とにそれぞれ二つの係合溝８が左右方向に並ぶように設けられている。上壁１１の２つの係合溝８と、下壁１２の２つの係合溝８とは、前後方向および左右方向において同一位置に形成されている。
【００１６】
端子カバー１は、図２および図３に示すように、複数の端子６と対向する基板１３と、この基板１３の上下方向の両端に接続された一対の側板１４，１４とを備えている。基板１３の裏面には、複数の補強のリブ１５が設けられている。これらのリブ１５は、図６に示すように、ケース４に端子カバー１が取付けられた状態でケース４の後端（端子台５の後端）と基板１３との間が広く開放されるように形成されている。図６は、端子台５の端子６を省略して描いてある。
【００１７】
一対の側板１４，１４は、ケース４の上面４ｂと下面４ｃに被せることが可能なように、基板１３の両端から前方に向けて基板１３に対して垂直に延伸されている。これらの側板１４は、上下方向に対称となるように形成されている。一対の側板１４，１４には、図５に示すようにケース４の係合孔７に係合する係合突起２１と、図６に示すようにケース４の係合溝８に係入する突片２２と、突片２２の近傍に位置するロック解除部２３とを備えている。また、この実施の形態による側板１４の前部であって左右方向の両側には、図４に示すように、ケース４の図示していない通気口に連通する複数の通気口２４が形成されている。側板１４の後部であって左右方向の両側には、作業者（図示せず）が把持する際に滑り止めとして機能する複数の溝２５が形成されている。
【００１８】
係合突起２１は、図５および図７に示すように、側板１４から端子カバー１の内側に向けて延びる基部２１ａと、この基部２１ａの先端に設けられた係合爪２１ｂとによって構成されている。基部２１ａの後面２６は、側板１４から端子カバー１の内側に向かうにしたがって次第に前側に位置するように傾斜している。このため、図５に示す係合状態から側板１４が後方（図５においては右方）に移動することにより、基部２１ａの傾斜した後面２６が係合孔７の後側の孔壁に沿って滑り、側板１４の前端がケース４から離れるように側板１４が撓む。このように側板１４が撓む状態で端子カバー１が後方に引かれることによって、端子カバー１がケース４から外れる。
【００１９】
係合爪２１ｂは、基部２１ａの先端から前方、すなわち基板１３から離間する方向に延び、係合孔７のケース内側の開口縁に係合するように形成されている。係合爪２１ｂがこのように係合孔７に係合している状態においては、端子カバー１がケース４に対して前方（図５においては左方）と左右方向へ移動することはできない。
【００２０】
突片２２は、図６および図８に示すように、断面三角形状に形成され、側板１４から端子カバー１の内側に向けて突出している。突片２２の前側の面２２ａ（図６参照）は、側板１４から端子カバー１の内側に向かうにしたがって次第に後側に位置するように傾斜している。突片２２の後側の面２２ｂは、側板１４に対して垂直になるように形成されている。このため、図６に示すように突片２２が係合溝８に係入している状態においては、端子カバー１がケース４に対して左右方向と前後方向へ移動することはできない。上述した係合突起２１が係合孔７に係合するとともに、突片２２が係合溝８に係入することによって、端子カバー１がケース４に対して前後方向と左右方向とに移動することができないように取付けられる。
【００２１】
ロック解除部２３は、突片２２が係合溝８に係入している状態を解除する際に作業者によって操作される部分で、ロック解除用の治具３１（図９および図１０参照）を受け入れることができるように構成されている。この実施の形態によるロック解除部２３は、図８に示すように、前後方向に延びる坂となるように形成された溝３２を含む治具挿入孔３３と、この治具挿入孔３３の前方に位置する板ばね部３４とによって構成されている。溝３２は、前側に向かうにしたがって次第に端子カバー１の内側に向かうように傾斜している。ロック解除用の治具３１は、例えばマイナスドライバーを用いることができる。
【００２２】
板ばね部３４は、図４に示すように、側板１４に形成されたスリット３５によって３方向から囲まれ、片持ち梁状に形成されている。スリット３５は、前方に向けて開放されるコ字状に形成されている。このため、板ばね部３４は、その前端部のみが側板１４の他の部分に接続され、後端が側板１４の厚み方向に変位するように弾性変形可能である。この板ばね部３４の前端部であって端子カバー１の内側となる部分に、図３に示すように上述した突片２２が設けられている。板ばね部３４の後端部であって端子カバー１の内側となる部分には、治具挿入孔３３に挿入された治具３１の先端と接触する突部３６が設けられている。板ばね部３４は、治具３１の先端に押圧されることによって、後端がケース４から離間する方向に撓む。以下においては、板ばね部３４の後端がケース４から離間する方向を単に「係入解除方向」という。
【００２３】
突部３６の左右方向の両側には、図３に示すように、治具３１の挿入方向を規定するために一対のガイド３７が設けられている。これらのガイド３７は、突片２２から後方に向けて延びており、板ばね部３４の後端部の変位を突片２２に伝達する機能も有している。突片２２は、板ばね部３４の後端が係入解除方向に変位することによって、図１０に示すように係合溝８の外に出る。このため、板ばね部３４は、治具挿入孔３３に挿入された治具３１の先端に押圧されて撓むことで突片２２の係合溝８への係入を解除する。
【００２４】
この実施の形態によるスリット３５の周囲には、図３および図８に示すように突条３８が形成されている。また、板ばね部３４の端子カバー外側となる部分には、突起３９が形成されている。これらの突条３８と突起３９は、スリット３５に作業者の指の爪など、何らかの挿入物が挿入されて板ばね部３４が係入解除方向へ引き出されることを防ぐものである。
【００２５】
このように構成された端子カバー１をケース４（端子台５）に取付けるためには、図２に示すように端子カバー１をケース４の後方から接近させ、一対の側板１４を間隔が拡がるように撓ませてケース４の上面４ｂと下面４ｃとに重ねる。そして、係合突起２１を係合孔７に係合させるとともに、突片２２を係合溝８に係入させることにより、端子カバー１がケース４に取付けられる。このため、治具３１を使用することなく端子カバー１を簡単にケース４に取付けることができる。
【００２６】
端子カバー１をケース４から取外すためには、先ず、図９に示すように、端子カバー１の溝３２に治具３１を沿わせながら前進させ、治具３１の先端を治具挿入孔３３に後側（基板１３側）から挿入する。そして、治具３１を更に前進させ、治具３１の先端部で板ばね部３４の後端部の突部３６をケース４とは反対側に向けて押す。このように板ばね部３４の後端部が治具３１によって押されることにより、図１０に示すように、突片２２が係合溝８の外に出る。
【００２７】
突片２２が係合溝８の外に出ている状態で端子カバー１を後方に引くことにより、係合突起２１も係合孔７の外に出るようになり、端子カバー１をケース４（端子台５）から後方に外すことができる。
したがって、この実施の形態によれば、端子カバー１を簡単に取付けることが可能な構成を採りながら、治具３１を使用しなければ取外すことができない端子カバーの着脱構造を提供することができる。
【００２８】
この実施の形態によるロック解除部２３は、治具３１を挿入する治具挿入孔３３と、治具挿入孔３３に挿入された治具３１の先端に押圧されて撓むことで突片２２の係合溝８への係入を解除する板ばね部３４とによって構成されている。このため、端子カバー１を用いてロック解除部２３を構成することができる。したがって、端子カバー１とは別の部品を使用してロック解除部２３を構成する場合と較べると、端子カバーの着脱構造を容易に実現することができる。
【００２９】
この実施の形態による係合孔７は、ケース４の上面４ｂと下面４ｃ（２つの側面）の各々の複数の位置に対をなすようにそれぞれ設けられている。係合溝８は、対をなす複数の係合孔７どうしの中間位置に設けられている。このため、ケース４に端子カバー１を強固に取付けることができるから、端子カバー１の取付状態を維持するうえで信頼性が高い端子カバーの着脱構造が実現される。
【００３０】
この実施の形態による係合突起２１は、基板１３から離間する方向に延びて係合孔７のケース内側の開口縁に係合する係合爪２１ｂを有している。ロック解除部２３は、基板１３側から治具３１を受け入れる構造である。このため、治具３１をケース４の前方に向けて押しながら端子カバー１を後方に引いてケース４から取外すことができる。したがって、端子カバー１をケース４から取外す作業を容易に行うことができる。
【符号の説明】
【００３１】
１…端子カバー、２…着脱構造、３…機器、４…ケース、４ｂ…上面（側面）、４ｃ…下面（側面）、５…端子台、６…端子、７…係合孔、８…係合溝、１３…基板、１４…側板、２１…係合突起、２１ｂ…係合爪、２２…突片、２３…ロック解除部、３１…治具、３３…治具挿入孔、３４…板ばね部。
【図１】
2020191396.tif 000003
【図２】
2020191396.tif 000004
【図３】
2020191396.tif 000005
【図４】
2020191396.tif 000006
【図５】
2020191396.tif 000007
【図６】
2020191396.tif 000008
【図７】
2020191396.tif 000009
【図８】
2020191396.tif 000010
【図９】
2020191396.tif 000011
【図１０】
2020191396.tif 000012